(57)【要約】【課題】印刷運転を中断している間の周辺機器の待機電力を削減するとともに、印刷運転の再開時には直ちに印刷機を稼動させることが可能な印刷機で使用される各周辺機器の待機電力削減装置を提供する。【解決手段】印刷機で使用され、電源が印刷機の電源から取られるコンプレッサ１，冷却タンク２，ＵＶ乾燥装置３の電源回路に設けられ、コンプレッサ１，冷却タンク２，ＵＶ乾燥装置３の電源を印刷機の電源に対して個別にＯＮ／ＯＦＦする接点を有するコンプレッサ用電磁開閉器ＭＣ１，冷却タンク用電磁開閉器ＭＣ２，ＵＶ乾燥装置用電磁開閉器ＭＣ３と、各装置に対応するコンプレッサ用電磁開閉器ＭＣ１，冷却タンク用電磁開閉器ＭＣ２，ＵＶ乾燥装置用電磁開閉器ＭＣ３を、設定された時間の間ＯＦＦにするスイッチ制御部３０とを設けた。【選択図】図１
2016221857.tif 000002
【特許請求の範囲】
【請求項１】
印刷機で使用され、電源が印刷機の電源から取られる各周辺機器において、
各周辺機器の電源回路に設けられ、各周辺機器の電源を印刷機の電源に対して個別にＯＮ／ＯＦＦする接点と、
各周辺機器に対応する前記接点を、設定された時間の間ＯＦＦにするタイマ手段と
を設けたことを特徴とする印刷機で使用される各周辺機器の待機電力削減装置。
【請求項２】
各周辺機器の消費電力と設定された時間から各周辺機器の削減電力量を演算する演算手段と、
前記演算手段で演算された各周辺機器の削減電力量を表示する表示器と
を設けたことを特徴とする請求項１記載の印刷機で使用される各周辺機器の待機電力削減装置。
【請求項３】
前記各周辺機器は、エアーコンプレッサを含む
ことを特徴とする請求項１又は請求項２記載の印刷機で使用される各周辺機器の待機電力削減装置。
【請求項４】
前記各周辺機器は、冷却タンクを含む
ことを特徴とする請求項１から請求項３のいずれか１項に記載の印刷機で使用される各周辺機器の待機電力削減装置。
【請求項５】
前記各周辺機器は、ＵＶ乾燥装置を含む
ことを特徴とする請求項１から請求項４のいずれか１項に記載の印刷機で使用される各周辺機器の待機電力削減装置。
【発明の詳細な説明】
【技術分野】
【０００１】
本発明は、印刷機で使用される各周辺機器の待機電力削減装置に関する。
【背景技術】
【０００２】
印刷機には、エアーを吹き付けることによってシートの暴れを規制するエアー吹きノズルや胴の移動に用いられるエアーシリンダ等にエアーを供給するためのコンプレッサ、インキに対して供給される湿し水を冷却するための冷却タンク、シートに対してインキを硬化させるために光を照射するＵＶ乾燥装置等の周辺機器を備えるものがある（例えば、下記特許文献１参照）。
【０００３】
このように周辺機器を備える印刷機において、印刷機自体は、印刷機が作動していない間（印刷機停止中）の消費電力が非常に少ないことから、従来、例えば昼休憩等、比較的長いあいだ印刷運転を中断するような場合であっても、印刷機の主電源をＯＮにしたままの状態で待機させることが一般的に行われていた。
【先行技術文献】
【特許文献】
【０００４】
【特許文献１】特開２０１１−１５６７９１号公報
【発明の概要】
【発明が解決しようとする課題】
【０００５】
しかしながら、上述したような印刷機が備えるコンプレッサ、冷却タンク、ＵＶ乾燥装置等の周辺機器は、印刷機の主電源と連動してＯＮ／ＯＦＦされるように構成されており、そのため印刷機が停止していても印刷機の主電源がＯＮとなっていることで電力を消費し、これが待機電力の増大につながるという問題があった。
【０００６】
具体的には、コンプレッサは、その内圧を設定された圧力に保つように自動的に作動し、印刷機の停止中は内圧を維持する必要がないにもかかわらず、空気が漏れて内圧が低くなると設定された内圧を維持するために自動的に作動し、電力を消費してしまっていた。また、冷却タンクも同様に、印刷機の停止中は湿し水の水温を維持する必要がないにもかかわらず、湿し水の水温が上昇すると自動的に作動し、電力を消費してしまっていた。また、ＵＶ乾燥装置は、常に作動した状態であり、電力を消費してしまっていた。
【０００７】
上述した問題に対し、コンプレッサ、冷却タンク、ＵＶ乾燥装置等の周辺機器の消費電力を低減するために印刷機の主電源をＯＦＦにすることも考えられる。
【０００８】
しかしながら、例えば、コンプレッサは最初の解放された空気圧の状態から設定された内圧になるまでに時間がかかる。そのため、休憩中に印刷機の主電源をＯＦＦにし、休憩が終わってから印刷機の主電源をＯＮとしてコンプレッサを稼動させると、コンプレッサの内圧が設定された圧力になるまで印刷機を稼動させることができず、稼働率が低下するという問題があった。これは、冷却タンクについても同様であった。
【０００９】
このようなことから本発明は、印刷運転を中断している間の周辺機器の待機電力を削減するとともに、印刷運転の再開時には直ちに印刷機を稼動させることが可能な印刷機で使用される各周辺機器の待機電力削減装置を提供することを目的とする。
【課題を解決するための手段】
【００１０】
上記の課題を解決するための第１の発明に係る印刷機で使用される各周辺機器の待機電力削減装置は、
印刷機で使用され、電源が印刷機の電源から取られる各周辺機器において、
各周辺機器の電源回路に設けられ、各周辺機器の電源を印刷機の電源に対して個別にＯＮ／ＯＦＦする接点と、
各周辺機器に対応する前記接点を、設定された時間の間ＯＦＦにするタイマ手段と
を設けたことを特徴とする。
【００１１】
上記の課題を解決するための第２の発明に係る印刷機で使用される各周辺機器の待機電力削減装置は、第１の発明において、
各周辺機器の消費電力と設定された時間から各周辺機器の削減電力量を演算する演算手段と、
前記演算手段で演算された各周辺機器の削減電力量を表示する表示器と
を設けたことを特徴とする。
【００１２】
上記の課題を解決するための第３の発明に係る印刷機で使用される各周辺機器の待機電力削減装置は、第１又は第２の発明において、
前記各周辺機器は、エアーコンプレッサを含む
ことを特徴とする。
【００１３】
上記の課題を解決するための第４の発明に係る印刷機で使用される各周辺機器の待機電力削減装置は、第１から第３のいずれかひとつの発明において、
前記各周辺機器は、冷却タンクを含む
ことを特徴とする。
【００１４】
上記の課題を解決するための第５の発明に係る印刷機で使用される各周辺機器の待機電力削減装置は、第１から第４のいずれかひとつの発明において、
前記各周辺機器は、ＵＶ乾燥装置を含む
ことを特徴とする。
【発明の効果】
【００１５】
本発明に係る印刷機で使用される各周辺機器の待機電力削減装置によれば、印刷運転を中断しているあいだ印刷機の主電源をＯＮとしたままであっても周辺機器の待機電力を削減することができ、且つ、印刷運転の再開時には直ちに印刷機を稼動させることができる。
【図面の簡単な説明】
【００１６】
【図１】本発明の実施形態に係る印刷機で使用される各周辺機器の待機電力削減装置の構成を示す強電回路図である。
【図２】本発明の実施形態に係るスイッチ制御装置の設定画面を示す模式図である。
【図３Ａ】本発明の実施形態に係るスイッチ制御装置の構成を示すブロック図である。
【図３Ｂ】本発明の実施形態に係るスイッチ制御装置の構成を示すブロック図である。
【図４Ａ】本発明の実施形態に係るスイッチ制御装置の動作を示すフローチャートである。
【図４Ｂ】本発明の実施形態に係るスイッチ制御装置の動作を示すフローチャートである。
【図４Ｃ】本発明の実施形態に係るスイッチ制御装置の動作を示すフローチャートである。
【図４Ｄ】本発明の実施形態に係るスイッチ制御装置の動作を示すフローチャートである。
【図４Ｅ】本発明の実施形態に係るスイッチ制御装置の動作を示すフローチャートである。
【図４Ｆ】本発明の実施形態に係るスイッチ制御装置の動作を示すフローチャートである。
【図４Ｇ】本発明の実施形態に係るスイッチ制御装置の動作を示すフローチャートである。
【発明を実施するための形態】
【００１７】
以下、図面を参照しつつ本発明に係る印刷機で使用される各周辺機器の待機電力削減装置の一実施形態について説明する。
【００１８】
図１に示すように、本実施形態において印刷機の主電源である交流電源ＡＣ（例えば、２００Ｖ）には、主電源のＯＮ／ＯＦＦを行う主電源スイッチ１１が接続され、この主電源スイッチ１１に、コンプレッサ用電磁開閉器ＭＣ１，冷却タンク用電磁開閉器ＭＣ２，ＵＶ乾燥装置用電磁開閉器ＭＣ３を介してエアーコンプレッサ（以下、コンプレッサと称する）１，冷却タンク２，ＵＶ乾燥装置３が接続されている。コンプレッサ用電磁開閉器ＭＣ１，冷却タンク用電磁開閉器ＭＣ２，ＵＶ乾燥装置用電磁開閉器ＭＣ３は、それぞれ接点を有して交流電源ＡＣからコンプレッサ１，冷却タンク２，ＵＶ乾燥装置３への通電をＯＮ／ＯＦＦ（接／断）するリレースイッチ又はマグネットスイッチ等の電磁開閉器である。
【００１９】
そして、コンプレッサ用電磁開閉器ＭＣ１，冷却タンク用電磁開閉器ＭＣ２，ＵＶ乾燥装置用電磁開閉器ＭＣ３の制御コイルであるコンプレッサ制御コイルＭｃ１，冷却タンク制御コイルＭｃ２，ＵＶ乾燥装置制御コイルＭｃ３は、後述する入出力装置３８を介して設定器及びタイマ手段としてのスイッチ制御装置（以下、スイッチ制御部と称する）３０に接続されている。また、コンプレッサ制御コイルＭｃ１，冷却タンク制御コイルＭｃ２，ＵＶ乾燥装置制御コイルＭｃ３は、直流電源ＤＣ（例えば、２４Ｖ）に接続されている。なお、図１中、１２は主盤、１３は分電盤を示す。
【００２０】
ここで、本実施形態においては、主盤１２及び分電盤１３が電源部１０を構成し、コンプレッサ用電磁開閉器ＭＣ１，冷却タンク用電磁開閉器ＭＣ２，ＵＶ乾燥装置用電磁開閉器ＭＣ３、コンプレッサ制御コイルＭｃ１，冷却タンク制御コイルＭｃ２，及びＵＶ乾燥装置制御コイルＭｃ３がスイッチ部２０を構成している。
【００２１】
以下、図２及び図３Ａ〜図３Ｂを用いてスイッチ制御部３０の詳細を説明する。
図３Ａ〜図３Ｂに示すように、スイッチ制御部３０は、ＣＰＵ３１と、ＲＯＭ３２と、ＲＡＭ３３と、入出力装置３４〜３８と、内部カウンタ３９とがＢＵＳ線で接続されて構成されている。
【００２２】
このＢＵＳ線には、コンプレッサ選択状態記憶用メモリＭ１、冷却タンク選択状態記憶用メモリＭ２、ＵＶ乾燥装置選択状態記憶用メモリＭ３、コンプレッサの作動時の消費電力記憶用メモリＭ４、コンプレッサの稼働率記憶用メモリＭ５、冷却タンクの作動時の消費電力記憶用メモリＭ６、冷却タンクの稼働率記憶用メモリＭ７、ＵＶ乾燥装置の作動時の消費電力記憶用メモリＭ８、ＵＶ乾燥装置の稼働率記憶用メモリＭ９、タイマ時間記憶用メモリＭ１０、内部カウンタのカウント値記憶用メモリＭ１１、経過時間記憶用メモリＭ１２、単位時間当たりのコンプレッサの消費電力記憶用メモリＭ１３、単位時間当たりの冷却タンクの消費電力記憶用メモリＭ１４、単位時間当たりのＵＶ乾燥装置の消費電力記憶用メモリＭ１５、単位時間当たりの消費電力記憶用メモリＭ１６、及び、削減消費電力量記憶用メモリＭ１７が接続されている。
【００２３】
入出力装置３４には、ＯＮタイマを開始するためのタッチパネル式のスイッチであるスタート・スイッチ４１（図２参照）、キーボード等の入力装置４２、ＣＲＴやディスプレイ等の表示器４３（図２参照）、及び、プリンタやフロッピーディスク（登録商標）ドライブ等の出力装置４４が接続されている。
【００２４】
ここで、本実施形態において表示器４３は、図２に示す設定スイッチ４６を操作することにより、図２に示すように、ＯＮタイマの経過時間（図２中斜線を施した部分）と残り時間（図２中白色で示す部分）とを表示する表示部４３ａ、及び削減電力量を表示する表示部４３ｂと共に、後述するコンプレッサ選択スイッチＳＷ１、冷却タンク選択スイッチＳＷ２、ＵＶ乾燥装置選択スイッチＳＷ３、２０分スイッチＳＷ２０、３０分スイッチＳＷ３０、４０分スイッチＳＷ４０、５０分スイッチＳＷ５０、及び、上述したスタート・スイッチ４１を表示する設定画面を呼び出したり、印刷機、コンプレッサ１、冷却タンク２、ＵＶ乾燥装置３等の消費電力量をグラフで表示する別の画面（図示省略）を呼び出すことができるように構成されているものとする。なお、図２中において、４５は計数を一時的に停止するための一時停止スイッチである。
【００２５】
入出力装置３５には、コンプレッサ選択スイッチＳＷ１、冷却タンク選択スイッチＳＷ２、及び、ＵＶ乾燥装置選択スイッチＳＷ３が接続されている。コンプレッサ選択スイッチＳＷ１、冷却タンク選択スイッチＳＷ２、ＵＶ乾燥装置選択スイッチＳＷ３は、図２に示すように、出力設定を行う為に設けられたタッチパネル式のスイッチであり、押すたびにＯＮ（接）とＯＦＦ（断）が切り替わるように構成されている。
【００２６】
また、入出力装置３６には、コンプレッサの作動時の消費電力設定器５１、コンプレッサの稼働率設定器５２、冷却タンクの作動時の消費電力設定器５３、冷却タンクの稼働率設定器５４、ＵＶ乾燥装置の作動時の消費電力設定器５５、及び、ＵＶ乾燥装置の稼働率設定器５６が接続されている。
【００２７】
コンプレッサの作動時の消費電力設定器５１は、コンプレッサ１の作動時の消費電力を入力するためのものである。コンプレッサ１の作動時の消費電力は、例えば、上述した図２に示す設定スイッチ４６を操作してコンプレッサ１の消費電力量をグラフで表示する別画面を呼び出し、画面に表示されるコンプレッサ１の稼働時の消費電力のグラフに基づいて入力する。
【００２８】
また、コンプレッサの稼働率設定器５２は、コンプレッサ１の稼働率を入力するためのものである。コンプレッサ１の稼働率は、コンプレッサ１の作動時の消費電力と同様に、例えば、上述した図２に示す設定スイッチ４６を操作してコンプレッサ１の消費電力量をグラフで表示する別画面を呼び出し、画面に表示されるコンプレッサ１の稼働時の消費電力のグラフに基づいてコンプレッサの稼働率を求め、これを入力する。
【００２９】
また、冷却タンクの作動時の消費電力設定器５３は、冷却タンク２の作動時の消費電力を入力するためのものである。冷却タンク２の作動時の消費電力は、例えば、上述した図２に示す設定スイッチ４６を操作して冷却タンク２の消費電力量をグラフで表示する別画面を呼び出し、画面に表示される冷却タンク２の稼働時の消費電力のグラフに基づいて冷却タンクの作動時の消費電力を入力する。
【００３０】
また、冷却タンクの稼働率設定器５４は、冷却タンク２の稼働率を入力するためのものである。冷却タンク２の稼働率は、冷却タンク２の作動時の消費電力と同様に、例えば、上述した図２に示す設定スイッチ４６を操作して冷却タンク２の消費電力量をグラフで表示する別画面を呼び出し、画面に表示される冷却タンク２の稼働時の消費電力のグラフに基づいて冷却タンクの稼働率を求め、これを入力する。
【００３１】
また、ＵＶ乾燥装置の作動時の消費電力設定器５５は、ＵＶ乾燥装置３の作動時の消費電力を入力するためのものである。ＵＶ乾燥装置３の作動時の消費電力は、例えば、上述した図２に示す設定スイッチ４６を操作してＵＶ乾燥装置３の消費電力量をグラフで表示する別画面を呼び出し、画面に表示されるＵＶ乾燥装置３の稼働時の消費電力のグラフに基づいてＵＶ乾燥装置の作動時の消費電力を入力する。
【００３２】
また、ＵＶ乾燥装置の稼働率設定器５６は、ＵＶ乾燥装置３の稼働率を入力するためのものである。ＵＶ乾燥装置３の稼働率は、ＵＶ乾燥装置３の作動時の消費電力と同様に、例えば、上述した図２に示す設定スイッチ４６を操作してＵＶ乾燥装置３の消費電力量をグラフで表示する別画面を呼び出し、画面に表示されるＵＶ乾燥装置３の稼働時の消費電力のグラフに基づいてＵＶ乾燥装置の稼働率を求め、これを入力する。
【００３３】
また、入出力装置３７には、２０分スイッチＳＷ２０、３０分スイッチＳＷ３０、４０分スイッチＳＷ４０、及び、５０分スイッチＳＷ５０が接続されている。２０分スイッチＳＷ２０、３０分スイッチＳＷ３０、４０分スイッチＳＷ４０、５０分スイッチＳＷ５０は、図２に示すように、ＯＮタイマ時間を設定するために設けられたタッチパネル式のスイッチであり、それぞれ予め設定された周辺機器をＯＮとするまでの時間を２０分後、３０分後、４０分後、５０分後に設定する。
【００３４】
さらに、入出力装置３８には、コンプレッサ制御コイルＭｃ１、冷却タンク制御コイルＭｃ２、及び、ＵＶ乾燥装置制御コイルＭｃ３が接続されている。
また、内部カウンタ３９は、ＯＮタイマを開始してから経過した時間をカウントするために設けられている。
【００３５】
以下、図４Ａ〜図４Ｇに示すフローにしたがってスイッチ制御部３０による動作制御について説明する。
【００３６】
まず、スイッチ制御部３０では、ステップＳ１でコンプレッサ選択スイッチＳＷ１がＯＮとなっているか否か（操作されたか否か）を判断し、コンプレッサ選択スイッチＳＷ１が操作されていなければ（ＮＯ）、後述するステップＳ６に移行する。一方、コンプレッサ選択スイッチＳＷ１が操作されていれば（ＹＥＳ）、ステップＳ２でコンプレッサ選択状態記憶用メモリＭ１の内容を読込む。
【００３７】
ステップＳ２に続いては、コンプレッサ１の選択状態を切り替えるため、ステップＳ３でコンプレッサ選択状態記憶用メモリＭ１の内容がコンプレッサ１が消費電力の削減対象になっていないことを表す「０」であるか否かを判断し、コンプレッサ選択状態記憶用メモリＭ１の内容が「０」であれば（ＹＥＳ）、ステップＳ４でコンプレッサ選択状態記憶用メモリＭ１にコンプレッサ１が消費電力の削減対象になっていることを表す「１」を上書きして後述するステップＳ６に移行する。一方、コンプレッサ選択状態記憶用メモリＭ１の内容が「１」であれば（ＮＯ）、ステップＳ５でコンプレッサ選択状態記憶用メモリＭ１にコンプレッサ１が消費電力の削減対象になっていないことを表す「０」を上書きして後述するステップＳ６に移行する。
【００３８】
ステップＳ６では、冷却タンク選択スイッチＳＷ２がＯＮとなっているか否か（操作されたか否か）を判断し、冷却タンク選択スイッチＳＷ２が操作されていなければ（ＮＯ）、後述するステップＳ１１に移行する。一方、冷却タンク選択スイッチＳＷ２が操作されていれば（ＹＥＳ）、ステップＳ７で冷却タンク選択状態記憶用メモリＭ２の内容を読込む。
【００３９】
ステップＳ７に続いては、冷却タンク２の選択状態を切り替えるため、ステップＳ８で冷却タンク選択状態記憶用メモリＭ２の内容が冷却タンク２が消費電力の削減対象になっていないことを表す「０」であるか否かを判断し、冷却タンク選択状態記憶用メモリＭ２の内容が「０」であれば（ＹＥＳ）、ステップＳ９で冷却タンク選択状態記憶用メモリＭ２に冷却タンク２が消費電力の削減対象になっていることを表す「１」を上書きして後述するステップＳ１１に移行する。一方、冷却タンク選択状態記憶用メモリＭ２の内容が「１」であれば（ＮＯ）、ステップＳ１０で冷却タンク選択状態記憶用メモリＭ２に冷却タンク２が消費電力の削減対象になっていないことを表す「０」を上書きして後述するステップＳ１１に移行する。
【００４０】
ステップＳ１１では、ＵＶ乾燥装置選択スイッチＳＷ３がＯＮとなっているか否か（操作されたか否か）を判断し、ＵＶ乾燥装置選択スイッチＳＷ３が操作されていなければ（ＮＯ）、後述するステップＳ１６に移行する。一方、ＵＶ乾燥装置選択スイッチＳＷ３が操作されていれば（ＹＥＳ）、ステップＳ１２でＵＶ乾燥装置選択状態記憶用メモリＭ３の内容を読込む。
【００４１】
ステップＳ１２に続いては、ＵＶ乾燥装置３の選択状態を切り替えるため、ステップＳ１３でＵＶ乾燥装置選択状態記憶用メモリＭ３の内容がＵＶ乾燥装置３が消費電力の削減対象になっていないことを表す「０」であるか否かを判断し、ＵＶ乾燥装置選択状態記憶用メモリＭ３の内容が「０」であれば（ＹＥＳ）、ステップＳ１４でＵＶ乾燥装置選択状態記憶用メモリＭ３にＵＶ乾燥装置３が消費電力の削減対象になっていることを表す「１」を上書きして後述するステップＳ１６に移行する。一方、ＵＶ乾燥装置選択状態記憶用メモリＭ３の内容が「１」であれば（ＮＯ）、ステップＳ１５でＵＶ乾燥装置選択状態記憶用メモリＭ３にＵＶ乾燥装置３が消費電力の削減対象になっていないことを表す「０」を上書きして後述するステップＳ１６に移行する。
【００４２】
ステップＳ１６では、コンプレッサの作動時の消費電力設定器５１にコンプレッサ１の作動時の消費電力が入力されているか否かを判断し、コンプレッサ１の作動時の消費電力が入力されていなければ（ＮＯ）、後述するステップＳ１８に移行する。一方、コンプレッサ１の作動時の消費電力が入力されていれば（ＹＥＳ）、ステップＳ１７でコンプレッサの作動時の消費電力設定器５１からコンプレッサ１の作動時の消費電力を読込み、コンプレッサの作動時の消費電力記憶用メモリＭ４に記憶して、ステップＳ１８に移行する。
【００４３】
ステップＳ１８では、コンプレッサの稼働率設定器５２にコンプレッサ１の稼働率が入力されているか否かを判断し、コンプレッサ１の稼働率が入力されていなければ（ＮＯ）、後述するステップＳ２０に移行する。一方、コンプレッサ１の稼働率が入力されていれば（ＹＥＳ）、ステップＳ１９でコンプレッサの稼働率設定器５２からコンプレッサ１の稼働率を読込み、コンプレッサの稼働率記憶用メモリＭ５に記憶して、ステップＳ２０に移行する。
【００４４】
ステップＳ２０では、冷却タンクの作動時の消費電力設定器５３に冷却タンク２の作動時の消費電力が入力されているか否かを判断し、冷却タンク２の作動時の消費電力が入力されていなければ（ＮＯ）、後述するステップＳ２２に移行する。一方、冷却タンク２の作動時の消費電力が入力されていれば（ＹＥＳ）、ステップＳ２１で冷却タンクの作動時の消費電力設定器５３から冷却タンク２の作動時の消費電力を読込み、冷却タンクの作動時の消費電力記憶用メモリＭ６に記憶して、ステップＳ２２に移行する。
【００４５】
ステップＳ２２では、冷却タンクの稼働率設定器５４に冷却タンク２の稼働率が入力されているか否かを判断し、冷却タンク２の稼働率が入力されていなければ（ＮＯ）、後述するステップＳ２４に移行する。一方、冷却タンク２の稼働率が入力されていれば（ＹＥＳ）、ステップＳ２３で冷却タンクの稼働率設定器５４から冷却タンク２の稼働率を読込み、冷却タンクの稼働率記憶用メモリＭ７に記憶して、ステップＳ２４に移行する。
【００４６】
ステップＳ２４では、ＵＶ乾燥装置の作動時の消費電力設定器５５にＵＶ乾燥装置３の作動時の消費電力が入力されているか否かを判断し、ＵＶ乾燥装置３の作動時の消費電力が入力されていなければ（ＮＯ）、後述するステップＳ２６に移行する。一方、ＵＶ乾燥装置３の作動時の消費電力が入力されていれば（ＹＥＳ）、ステップＳ２５でＵＶ乾燥装置の作動時の消費電力設定器５５からＵＶ乾燥装置３の作動時の消費電力を読込み、ＵＶ乾燥装置の作動時の消費電力記憶用メモリＭ８に記憶して、ステップＳ２６に移行する。
【００４７】
ステップＳ２６では、ＵＶ乾燥装置の稼働率設定器５６にＵＶ乾燥装置３の稼働率が入力されているか否かを判断し、ＵＶ乾燥装置３の稼働率が入力されていなければ（ＮＯ）、後述するステップＳ２８に移行する。一方、ＵＶ乾燥装置３の稼働率が入力されていれば（ＹＥＳ）、ステップＳ２７でＵＶ乾燥装置の稼働率設定器５６からＵＶ乾燥装置３の稼働率を読込み、ＵＶ乾燥装置の稼働率記憶用メモリＭ９に記憶して、ステップＳ２８に移行する。
【００４８】
ステップＳ２８では、２０分スイッチＳＷ２０がＯＮとなっているか否かを判断し、２０分スイッチＳＷ２０がＯＦＦとなっていれば（ＮＯ）、後述するステップＳ３０に移行する。一方、２０分スイッチＳＷ２０がＯＮとなっていれば（ＹＥＳ）、ステップＳ２９でタイマ時間記憶用メモリＭ１０に「２０」を上書きして、ステップＳ３０に移行する。
【００４９】
ステップＳ３０では、３０分スイッチＳＷ３０がＯＮとなっているか否かを判断し、３０分スイッチＳＷ３０がＯＦＦとなっていれば（ＮＯ）、後述するステップＳ３２に移行する。一方、３０分スイッチＳＷ３０がＯＮとなっていれば（ＹＥＳ）、ステップＳ３１でタイマ時間記憶用メモリＭ１０に「３０」を上書きして、ステップＳ３２に移行する。
【００５０】
ステップＳ３２では、４０分スイッチＳＷ４０がＯＮとなっているか否かを判断し、４０分スイッチＳＷ４０がＯＦＦとなっていれば（ＮＯ）、後述するステップＳ３４に移行する。一方、４０分スイッチＳＷ４０がＯＮとなっていれば（ＹＥＳ）、ステップＳ３３でタイマ時間記憶用メモリＭ１０に「４０」を上書きして、ステップＳ３４に移行する。
【００５１】
ステップＳ３４では、５０分スイッチＳＷ５０がＯＮとなっているか否かを判断し、５０分スイッチＳＷ５０がＯＦＦとなっていれば（ＮＯ）、後述するステップＳ３６に移行する。一方、５０分スイッチＳＷ５０がＯＮとなっていれば（ＹＥＳ）、ステップＳ３５でタイマ時間記憶用メモリＭ１０に「５０」を上書きして、ステップＳ３６に移行する。
【００５２】
ステップＳ３６では、スタート・スイッチ４１がＯＮとなっているか否かを判断し、スタート・スイッチ４１がＯＦＦであれば（ＮＯ）、ステップＳ１に戻る。一方、スタート・スイッチ４１がＯＮとなっていれば（ＹＥＳ）、ステップＳ３７で内部カウンタ３９にリセット信号を出力する。
【００５３】
ステップＳ３７に続いては、ステップＳ３８でコンプレッサ選択状態記憶用メモリＭ１の内容を読込む。続いて、ステップＳ３９でコンプレッサ選択状態記憶用メモリＭ１の内容が「１」であるか否かを判断し、コンプレッサ選択状態記憶用メモリＭ１の内容が「０」であれば（ＮＯ）、後述するステップＳ４１に移行する。一方、コンプレッサ選択状態記憶用メモリＭ１の内容が「１」であれば（ＹＥＳ）、ステップＳ４０でコンプレッサ制御コイルＭｃ１にＯＦＦ信号を出力して、ステップＳ４１に移行する。これにより、コンプレッサ用電磁開閉器ＭＣ１の接点が切断された状態となり交流電源ＡＣからコンプレッサ１への電力の供給が遮断される。
【００５４】
ステップＳ４１では、冷却タンク選択状態記憶用メモリＭ２の内容を読込む。続いて、ステップＳ４２で冷却タンク選択状態記憶用メモリＭ２の内容が「１」であるか否かを判断し、冷却タンク選択状態記憶用メモリＭ２の内容が「０」であれば（ＮＯ）、後述するステップＳ４４に移行する。一方、冷却タンク選択状態記憶用メモリＭ２の内容が「１」であれば（ＹＥＳ）、ステップＳ４３で冷却タンク制御コイルＭｃ２にＯＦＦ信号を出力して、ステップＳ４４に移行する。これにより、冷却タンク用電磁開閉器ＭＣ２の接点が切断された状態となり交流電源ＡＣから冷却タンク２への電力の供給が遮断される。
【００５５】
ステップＳ４４では、ＵＶ乾燥装置選択状態記憶用メモリＭ３の内容を読込む。続いて、ステップＳ４５でＵＶ乾燥装置選択状態記憶用メモリＭ３の内容が「１」であるか否かを判断し、ＵＶ乾燥装置選択状態記憶用メモリＭ３の内容が「０」であれば（ＮＯ）、後述するステップＳ４７に移行する。一方、ＵＶ乾燥装置選択状態記憶用メモリＭ３の内容が「１」であれば（ＹＥＳ）、ステップＳ４６でＵＶ乾燥装置制御コイルＭｃ３にＯＦＦ信号を出力して、ステップＳ４７に移行する。これにより、ＵＶ乾燥装置用電磁開閉器ＭＣ３の接点が切断された状態となり交流電源ＡＣからＵＶ乾燥装置３への電力の供給が遮断される。
【００５６】
ステップＳ４７では、内部カウンタ３９からカウント値を読込んで内部カウンタのカウント値記憶用メモリＭ１１に記憶し、続いて、ステップＳ４８で内部カウンタ３９のカウント値から経過時間を演算して演算結果を経過時間記憶用メモリＭ１２に記憶し、ステップＳ４９でタイマ時間記憶用メモリＭ１０からタイマ時間を読込む。
【００５７】
続いて、ステップＳ５０で経過時間とタイマ時間が等しいか否かを判断し、経過時間とタイマ時間が異なれば（ＮＯ）、上述したステップＳ４７に戻る。一方、経過時間とタイマ時間が等しければ（ＹＥＳ）、ステップＳ５１でコンプレッサ選択状態記憶用メモリＭ１の内容を読込む。
【００５８】
ステップＳ５１に続いては、ステップＳ５２でコンプレッサ選択状態記憶用メモリＭ１の内容が「１」であるか否かを判断し、コンプレッサ選択状態記憶用メモリＭ１の内容が「０」であれば（ＮＯ）、後述するステップＳ５４に移行する。一方、コンプレッサ選択状態記憶用メモリＭ１の内容が「１」であれば（ＹＥＳ）、ステップＳ５３でコンプレッサ制御コイルＭｃ１にＯＮ信号を出力して、ステップＳ５４に移行する。これにより、コンプレッサ用電磁開閉器ＭＣ１の接点が接続された状態となり交流電源ＡＣからコンプレッサ１へ電力が供給される。
【００５９】
ステップＳ５４では、冷却タンク選択状態記憶用メモリＭ２の内容を読込む。続いて、ステップＳ５５で冷却タンク選択状態記憶用メモリＭ２の内容が「１」であるか否かを判断し、冷却タンク選択状態記憶用メモリＭ２の内容が「０」であれば（ＮＯ）、後述するステップＳ５７に移行する。一方、冷却タンク選択状態記憶用メモリＭ２の内容が「１」であれば（ＹＥＳ）、ステップＳ５６で冷却タンク制御コイルＭｃ２にＯＮ信号を出力して、ステップＳ５７に移行する。これにより、冷却タンク用電磁開閉器ＭＣ２の接点が接続された状態となり交流電源ＡＣから冷却タンク２へ電力が供給される。
【００６０】
ステップＳ５７では、ＵＶ乾燥装置選択状態記憶用メモリＭ３の内容を読込む。続いて、ステップＳ５８でＵＶ乾燥装置選択状態記憶用メモリＭ３の内容が「１」であるか否かを判断し、ＵＶ乾燥装置選択状態記憶用メモリＭ３の内容が「０」であれば（ＮＯ）、後述するステップＳ６０に移行する。一方、ＵＶ乾燥装置選択状態記憶用メモリＭ３の内容が「１」であれば（ＹＥＳ）、ステップＳ５９でＵＶ乾燥装置制御コイルＭｃ３にＯＮ信号を出力して、ステップＳ６０に移行する。これにより、ＵＶ乾燥装置用電磁開閉器ＭＣ３の接点が接続された状態となり交流電源ＡＣからＵＶ乾燥装置３へ電力が供給される。
【００６１】
ステップＳ６０では、コンプレッサ選択状態記憶用メモリＭ１の内容が「１」であるか否かを判断し、コンプレッサ選択状態記憶用メモリＭ１の内容が「０」であれば（ＮＯ）、ステップＳ６４で単位時間当たりのコンプレッサの消費電力記憶用メモリＭ１３に「０」を上書きして、後述するステップＳ６５に移行する。一方、コンプレッサ選択状態記憶用メモリＭ１の内容が「１」であれば（ＹＥＳ）、ステップＳ６１でコンプレッサの作動時の消費電力記憶用メモリＭ４からコンプレッサ１の作動時の消費電力を読込む。
【００６２】
ステップＳ６１に続いては、ステップＳ６２でコンプレッサの稼動率記憶用メモリＭ５からコンプレッサ１の稼働率を読込み、ステップＳ６３でコンプレッサ１の作動時の消費電力にコンプレッサ１の稼働率を乗算し、単位時間当たりのコンプレッサ１の消費電力を演算して演算結果を単位時間当たりのコンプレッサの消費電力記憶用メモリＭ１３に記憶して、ステップＳ６５に移行する。
【００６３】
ステップＳ６５では、冷却タンク選択状態記憶用メモリＭ２の内容が「１」であるか否かを判断し、冷却タンク選択状態記憶用メモリＭ２の内容が「０」であれば（ＮＯ）、ステップＳ６９で単位時間当たりの冷却タンクの消費電力記憶用メモリＭ１４に「０」を上書きして、後述するステップＳ７０に移行する。一方、冷却タンク選択状態記憶用メモリＭ２の内容が「１」であれば（ＹＥＳ）、ステップＳ６６で冷却タンクの作動時の消費電力記憶用メモリＭ６から冷却タンク２の作動時の消費電力を読込む。
【００６４】
ステップＳ６６に続いては、ステップＳ６７で冷却タンクの稼働率記憶用メモリＭ７から冷却タンク２の稼働率を読込み、ステップＳ６８で冷却タンク２の作動時の消費電力に冷却タンク２の稼働率を乗算し、単位時間当たりの冷却タンク２の消費電力を演算して演算結果を単位時間当たりの冷却タンクの消費電力記憶用メモリＭ１４に記憶して、ステップＳ７０に移行する。
【００６５】
ステップＳ７０では、ＵＶ乾燥装置選択状態記憶用メモリＭ３の内容が「１」であるか否かを判断し、ＵＶ乾燥装置選択状態記憶用メモリＭ３の内容が「０」であれば（ＮＯ）、ステップＳ７４で単位時間当たりのＵＶ乾燥装置の消費電力記憶用メモリＭ１５に「０」を上書きして、後述するステップＳ７５に移行する。一方、ＵＶ乾燥装置選択状態記憶用メモリＭ３の内容が「１」であれば（ＹＥＳ）、ステップＳ７１でＵＶ乾燥装置の作動時の消費電力記憶用メモリＭ８からＵＶ乾燥装置３の作動時の消費電力を読込む。
【００６６】
ステップＳ７１に続いては、ステップＳ７２でＵＶ乾燥装置の稼働率記憶用メモリＭ９からＵＶ乾燥装置３の稼働率を読込み、ステップＳ７３でＵＶ乾燥装置３の作動時の消費電力にＵＶ乾燥装置３の稼働率を乗算し、単位時間当たりのＵＶ乾燥装置３の消費電力を演算して演算結果を単位時間当たりのＵＶ乾燥装置の消費電力記憶用メモリＭ１５に記憶して、ステップＳ７５に移行する。
【００６７】
ステップＳ７５では、単位時間当たりのコンプレッサの消費電力記憶用メモリＭ１３から単位時間当たりのコンプレッサ１の消費電力を読込み、続いて、ステップＳ７６で単位時間当たりの冷却タンクの消費電力記憶用メモリＭ１４から単位時間当たりの冷却タンク２の消費電力を読込み、ステップＳ７７で単位時間当たりのＵＶ乾燥装置の消費電力記憶用メモリＭ１５から単位時間当たりのＵＶ乾燥装置３の消費電力を読込む。
【００６８】
続いて、ステップＳ７８で単位時間当たりのコンプレッサ１の消費電力に単位時間当たりの冷却タンク２の消費電力及び単位時間当たりのＵＶ乾燥装置３の消費電力を加算し、単位時間当たりの消費電力を演算して演算結果を単位時間当たりの消費電力記憶用メモリＭ１６に記憶する。
【００６９】
続いて、ステップＳ７９でタイマ時間記憶用メモリＭ１０からタイマ時間を読込み、ステップＳ８０で単位時間当たりの消費電力にタイマ時間を乗算して削減消費電力量を求め、該削減消費電力量を削減消費電力量記憶用メモリＭ１７に記憶し、ステップＳ８１で削減消費電力量を表示器４３に表示する。
【００７０】
このように構成される本実施形態に係る印刷機で使用される各周辺機器の待機電力削減装置によれば、印刷機の主電源から電源を得るコンプレッサ１，冷却タンク２，ＵＶ乾燥装置３の電源回路に、当該コンプレッサ１，冷却タンク２，ＵＶ乾燥装置３をそれぞれＯＮ／ＯＦＦするための接点を有するコンプレッサ用電磁開閉器ＭＣ１，冷却タンク用電磁開閉器ＭＣ２，ＵＶ乾燥装置用電磁開閉器ＭＣ３を設け、印刷機の主電源のＯＮ／ＯＦＦとは別に、コンプレッサ１，冷却タンク２，ＵＶ乾燥装置３を個別にＯＮ／ＯＦＦできるようにしたことにより、印刷運転を中断しているあいだ印刷機の主電源をＯＮとしたままであっても、コンプレッサ１，冷却タンク２，ＵＶ乾燥装置３を個別にＯＦＦとすることができ、待機電力を削減することが可能となる。
【００７１】
また、例えばコンプレッサ１は解放された空気圧の状態から設定された内圧になるまでに時間がかかるので、コンプレッサ１を一旦ＯＦＦにしたあとＯＮとすると、コンプレッサ１の内圧が設定された圧力になるまで印刷機を待機させる必要があるが、本実施形態では、ＯＮタイマを設けたことにより、周辺機器の作動開始までの停止時間を、例えば、休憩時間が１時間でコンプレッサ１が設定された内圧になるまでに１０分かかるとすると、ＯＮタイマを５０分に設定することで、印刷再開時の１０分前にコンプレッサ１の作動を開始して、印刷再開時に直ちに印刷機を稼動させることができるようにするなど、コンプレッサ１，冷却タンク２，ＵＶ乾燥装置３を個別にＯＦＦにした場合であっても、所望の時間に印刷機の稼動を開始することができる。
【００７２】
さらに、コンプレッサ１，冷却タンク２，ＵＶ乾燥装置３を停止していた間に削減された電力量を演算して表示するようにしたため、オペレータにどのくらい節電できたかを明示することができ、オペレータの節電意識を促し、無駄な電力の浪費を防ぐことができる。
【００７３】
また、ＯＦＦとなっているコンプレッサ１，冷却タンク２，ＵＶ乾燥装置３がＯＮとなるまでの残り時間を表示する表示部４３ａを設けたことにより、待ち時間のストレスを解消することもできる。
【００７４】
なお、上述した実施形態では印刷機の主電源から電源を得る装置として、コンプレッサ１，冷却タンク２，ＵＶ乾燥装置３を挙げたが、印刷機の主電源から電源を得る装置としては、コンプレッサ１，冷却タンク２，ＵＶ乾燥装置３に限定されるものではなく、必要に応じて種々の変更が可能であることは言うまでもない。
【００７５】
また、上述した実施形態では、ＯＮタイマ時間を設定するためのスイッチとして、２０分スイッチＳＷ２０、３０分スイッチＳＷ３０、４０分スイッチＳＷ４０、５０分スイッチＳＷ５０を設ける例を示したが、他の設定時間とする、又は分単位で設定が可能なスイッチを設けるなどしてもよい。
【００７６】
また、上述した実施形態では、コンプレッサ選択スイッチＳＷ１、冷却タンク選択スイッチＳＷ２、ＵＶ乾燥装置選択スイッチＳＷ３、２０分スイッチＳＷ２０、３０分スイッチＳＷ３０、４０分スイッチＳＷ４０、５０分スイッチＳＷ５０、及び、スタート・スイッチ４１を表示器４３によって表示されるタッチパネル式のスイッチとする例を示したが、これらのスイッチは押しボタン式であっても構わない。
【産業上の利用可能性】
【００７７】
本発明は、印刷機で使用される各周辺機器の待機電力削減装置に適用して好適なものである。
【符号の説明】
【００７８】
１  コンプレッサ
２  冷却タンク
３  ＵＶ乾燥装置
１０  電源部
１１  主電源スイッチ
２０  スイッチ部
３０  スイッチ制御部
３１  ＣＰＵ
３２  ＲＯＭ
３３  ＲＡＭ
３４〜３８  入出力装置
３９  内部カウンタ
４１  スタート・スイッチ
４２  入力装置
４３  表示器
４３ａ  経過時間表示部
４３ｂ  削減電力量表示部
４４  出力装置
４５  一時停止スイッチ
５１  コンプレッサの作動時の消費電力設定器
５２  コンプレッサの稼働率設定器
５３  冷却タンクの作動時の消費電力設定器
５４  冷却タンクの稼働率設定器
５５  ＵＶ乾燥装置の作動時の消費電力設定器
５６  ＵＶ乾燥装置の稼働率設定器
Ｍ１〜Ｍ１７  メモリ
ＳＷ１  コンプレッサ選択スイッチ
ＳＷ２  冷却タンク選択スイッチ
ＳＷ３  ＵＶ乾燥装置選択スイッチ
ＳＷ２０〜ＳＷ５０  ２０〜５０分スイッチ
ＭＣ１  コンプレッサ用電磁開閉器
ＭＣ２  冷却タンク用電磁開閉器
ＭＣ３  ＵＶ乾燥装置用電磁開閉器
Ｍｃ１  コンプレッサ制御コイル
Ｍｃ２  冷却タンク制御コイル
Ｍｃ３  ＵＶ乾燥装置制御コイル
【図１】
2016221857.tif 000003
【図２】
2016221857.tif 000004
【図３Ａ】
2016221857.tif 000005
【図３Ｂ】
2016221857.tif 000006
【図４Ａ】
2016221857.tif 000007
【図４Ｂ】
2016221857.tif 000008
【図４Ｃ】
2016221857.tif 000009
【図４Ｄ】
2016221857.tif 000010
【図４Ｅ】
2016221857.tif 000011
【図４Ｆ】
2016221857.tif 000012
【図４Ｇ】
2016221857.tif 000013